(57)【要約】【課題】開業医等の小規模な医療施設において、画像生成装置で生成された画像データと患者情報との対応付けを効率的に行うことができ、更に対応付けミスを抑制することが可能な小規模診断システムを提供する。【解決手段】本発明に係る制御装置によれば、患者情報の入力後、画像データ又は検査データが受信されると、制御モードが第１の制御モードに設定されているか又は第２の制御モードに設定されているかが判断され、第１の制御モードに設定されている場合には、受信されたデータを全て入力された患者情報と対応付けて保存し、第２の制御モードが設定されていると判断されると、受信されたデータの付帯情報に基づいて当該受信されたデータと入力された患者情報との対応付けの可否を判断し、対応付けが可であると判断した場合にのみ、当該受信されたデータを入力された患者情報と対応付けて保存する。【選択図】図６
2008183336.tif 000002
【特許請求の範囲】
【請求項１】
患者の診断対象部位を撮影して画像データを生成し、当該画像データに関する付帯情報を付加して送信する画像生成装置と、
前記画像生成装置により生成された画像データを患者情報と対応付けて保存する保存手段、患者情報を入力するための患者情報入力手段、及び前記患者情報入力手段により入力された患者情報に対応する画像データを前記保存手段から読み出して表示する表示手段を備えた医用画像管理装置と、
が通信ネットワークを介してデータ送受信可能に接続された小規模診断システムであって、
前記医用画像管理装置は、
前記画像生成装置から受信された画像データを保存する際の制御モードの設定を入力するためモード設定手段と、
前記患者情報入力手段により患者情報が入力された後に前記画像生成装置から受信された画像データを全て前記入力された患者情報と対応付けて前記保存手段に保存する第１の制御モードと、前記患者情報入力手段により患者情報が入力された後に前記画像生成装置から受信された画像データの付帯情報に基づいて当該受信された画像データと前記入力された患者情報との対応付けの可否を判断し、対応付けが可であると判断した場合にのみ、当該受信された画像データを前記入力された患者情報と対応付けて前記保存手段に保存する第２の制御モードと、を有し、前記モード設定手段により入力された設定に基づいて、前記第１又は第２の制御モードで前記受信された画像データの保存制御を行う制御手段と、
を備えたことを特徴とする小規模診断システム。
【請求項２】
前記画像生成装置から受信された画像データを一時的に保存する一時保存手段を備え、
前記制御手段は、前記第２の制御モードにおいて前記入力された患者情報との対応付けが不可であると判断された画像データを前記一時保存手段に保存することを特徴とする請求項１に記載の小規模診断システム。
【請求項３】
前記画像生成装置は、ＤＩＣＯＭ形式で画像データを送信することを特徴とする請求項１又は２に記載の小規模診断システム。
【請求項４】
前記医用画像管理装置は、患者の検査データを取得し当該検査データに関する付帯情報を付加して送信する検査装置とデータ送受信可能に接続され、
前記検査装置から受信された検査データを保存する検査情報保存手段を備え、
前記制御手段は、前記第１の制御モードが設定されている場合には、前記患者情報入力手段により患者情報が入力された後に前記検査装置から受信された検査データを全て前記入力された患者情報と対応付けて前記検査情報保存手段に保存し、前記第２の制御モードが設定されている場合には、前記患者情報入力手段により患者情報が入力された後に前記検査装置から受信された検査データの付帯情報に基づいて当該受信された検査データと前記入力された患者情報との対応付けの可否を判断し、対応付けが可であると判断した場合にのみ、当該受信された検査データを前記入力された患者情報と対応付けて前記検査情報保存手段に保存することを特徴とする請求項１〜３の何れか一項に記載の小規模診断システム。
【請求項５】
前記検査装置は、ＤＩＣＯＭ形式で検査データを送信することを特徴とする請求項４に記載の小規模診断システム。
【発明の詳細な説明】
【技術分野】
【０００１】
本発明は、主として小規模な医療施設で用いられる小規模診断システムに関するものである。
【背景技術】
【０００２】
従来から、来院した患者を、ＣＲ（Computed Radiography）装置やＦＰＤ（Flat PanelDetector）装置等の画像生成装置を用いて、技師が検査対象である患者を撮影し、得られた画像が診断に提供可能となるよう階調処理等の画像処理を加え、画像処理済の画像を出力し、医師による読影に提供する診断システムが知られている。
【０００３】
このような診断システムは、来院した患者を受け付け、撮影オーダを発行する担当（受付）、実際に患者を撮影室で撮影し画像データを生成する担当（技師）、階調性等の得られた画像の診断提供の可否を判断し、場合によってはコントラストや濃度を修正する担当（一般の技師の中かから任命された技師等）、画像に基づき疾病の有無を判断（診断）する読影担当（医師）等、複数の担当者が役割分担を行い、診断が進められる。
【０００４】
そして、従来の診断システムの適用が想定されていたような大規模な医療施設（以下、大規模施設という。）では、画像生成装置もこれを操作する技師等も複数存在し、画像生成装置を操作するコンソールや医師等が画像データを確認するビューワ等もそれぞれ役割を分担して別個に設けられている。このため、患者と画像データとの取り違え等が生じるおそれがある。そこで、これを防止するために、各装置をネットワークを介して連携させ、各装置においてＩＤを発行し、各装置で行われた作業工程の結果をそれぞれ関連付けるシステムが提案されている（例えば、特許文献１参照）。
【０００５】
このようなシステムにおいては、上記の各役割を担当する場所は、受付は１Ｆ、放射線科は地下等、広い病院内で離れた場所にあることが多く、かつ、放射線科内で、複数の患者を、複数の技師が、複数の撮影装置を使用して、同時に撮影を実行する場面が定常的であり、複数の患者が常時各工程に滞留しており、生成された画像と個々の患者との対応付けを間違うことが無きよう、各工程での作業毎にＩＤを付し、ＨＩＳ（Hospital Information System；病院情報システム）やＲＩＳ（Radiology Information System；放射線情報科情報システム）のネットワークを介して対応付けることが行われる（例えば、特許文献２及び特許文献３参照）。
【０００６】
例えば、１Ｆ受付窓口では、患者の主訴に基づき撮影内容を決定し、患者名前とともに登録する。これにより、図１０（ａ）のような患者リストが作成される。上記の患者リストは随時追加され、１Ｆの受付用のワークステーション（以下「ＷＳ」という。）に表示される。同時に、上記患者リストは、ＲＩＳ／ＨＩＳ等のネットワークを介して、地下の放射線科にあるコンソール（ここで「コンソール」とは、放射線科内にあり、撮影条件の設定やＲＩＳ／ＨＩＳの撮影オーダ情報や患者を撮影した画像を表示するワークステーションをいう）に表示される。なお、コンソールの台数は、分散処理効率を上げる為、複数設けられていることが常であるが、これらもネットワーク介して相互に接続されていおり、任意のコンソールで、所定の撮影ＩＤが選択された時、複数の技師間での重複撮影を予防する為、当該患者リストに処理中である旨を告知する方法（フラッシング表示や色を変える、又は、同一検査を指定するとビープ警告する等）が用いられる。
【０００７】
放射線科の技師は、自分の身近にあるコンソールを用い、表示された患者リスト上からこれから撮影する撮影ＩＤを選択し、使用する放射線画像変換媒体（カセッテ）のＩＤ（カセッテＩＤ）を登録する。これにより、図１０（ｂ）に示すように、患者リストの「カセッテＩＤ」の欄に登録したカセッテＩＤが表示される。技師は例えば３枚のカセッテを持って、撮影室へ移動し、患者の撮影を行う。その後、撮影済みカセッテを読取装置で読み取る。読取装置は、挿入されたカセッテに貼付されたカセッテＩＤを読み取り、画像データに付帯させて当該カセッテＩＤを送信し、最終的に撮影ＩＤ（患者ＩＤ）と生成される画像データの対応が付けられる。生成された画像データは、技師が前記撮影ＩＤを選択したコンソールに送信され、コンソールに表示される。この段階で、撮影ポジショニングの確認を行い、ポジショニング不良の場合は再撮影を行い、濃度やコントラストの修正や周波数強調処理を適用するか否か等も判断する。その後、当該画像を読影待ち（診断待ち）サーバに保存する。読影医は、読影室のワークステーション（ビューワ機能用に高精細モニタを備えるものである場合が多い）に、前記読影待ちサーバに保存された画像から所定の患者に係る画像を抽出表示させ、読影（診断）を行う。
【０００８】
そして、このような大規模施設で利用されるシステムでは、例えば患者に対して行った撮影が単純撮影なのか造影剤撮影なのか等、保険点数計算に影響する情報についても、患者の撮影ＩＤやカセッテＩＤ等を登録して患者と撮影画像との対応付けを行うことにより、すべての情報が連携し、ＲＩＳ／ＨＩＳサーバ等に集約されて管理し得るようになっている。このような病院内における複数装置間の情報の連携を行うための標準プロトコルとしては、一般的にＤＩＣＯＭ（Digital Imaging and Communications in Machine）が採用されている。ＤＩＣＯＭでは送受信されるデータの形式（フォーマット）が規定されており、ＤＩＣＯＭに対応していない装置を病院内のネットワークに接続する場合には、変換装置によりＤＩＣＯＭ形式に変換することが行われている（例えば、特許文献４参照）。
【特許文献１】米国特許第５，３３４，８５１号明細書
【特許文献２】特開２００２−１５９４７６号公報
【特許文献３】特開２００２−３１１５２４号公報
【特許文献４】特開２００３−２４８７２３号公報
【発明の開示】
【発明が解決しようとする課題】
【０００９】
しかしながら、本願発明者等の調査によれば、開業医やクリニックのような比較的小規模な医療施設（以下、小規模施設という）の場合は、多くの場合、患者の診察を行う医師は一人であり、画像生成装置の設置台数も少ない。助手が患者のポジショニングを行い、助手からポジショニング完了の連絡を受け医師がＸ線曝射スイッチを制御する場合や、患者のポジショニングを含め全ての操作を医師自身が行う場合も多い。
【００１０】
また、例えば大規模施設の場合には、撮影を行ってから医師の診断を受けるまでの間に患者は施設内の複数の階を行き来しなければならないことも想定されるが、小規模施設の場合には、施設も狭いため撮影を行ってから医師の診断を受けるまでの間の患者の移動距離も短い。
【００１１】
このような状況のもとでは撮影画像を別の患者のものと取り違えることは考えづらく、大規模施設と同様なシステムを用いたのでは、かえって手続きが煩雑となり、診療効率が悪い。
【００１２】
また、予め患者の患者情報や撮影条件情報等の撮影オーダ情報を生成し、当該撮影オーダ情報を撮影した撮影画像と対応付けるためには、ＲＩＳ／ＨＩＳのような基幹システムに対応したネットワークで各装置を接続するようなシステムが必要となるが、このようなシステムを構築するためにはコストがかかり、また、基幹システムとのデータの整合性をとるための手段も必要となり、小規模施設にとって負担となるとの問題もある。また、前述する大規模施設での構成コンセプトのまま各装置の数を少なくしても、小規模施設に最適とは言えない。
【００１３】
本発明の課題は、開業医等の小規模な医療施設において、画像生成装置で生成された画像データと患者情報との対応付けを効率的に行うことができ、更に対応付けミスを抑制することが可能な小規模診断システムを提供することである。
【課題を解決するための手段】
【００１４】
上記課題を解決するため、請求項１に記載の発明は、 
患者の診断対象部位を撮影して画像データを生成し、当該画像データに関する付帯情報を付加して送信する画像生成装置と、
前記画像生成装置により生成された画像データを患者情報と対応付けて保存する保存手段、患者情報を入力するための患者情報入力手段、及び前記患者情報入力手段により入力された患者情報に対応する画像データを前記保存手段から読み出して表示する表示手段を備えた医用画像管理装置と、
が通信ネットワークを介してデータ送受信可能に接続された小規模診断システムであって、
前記医用画像管理装置は、
前記画像生成装置から受信された画像データを保存する際の制御モードの設定を入力するためモード設定手段と、
前記患者情報入力手段により患者情報が入力された後に前記画像生成装置から受信された画像データを全て前記入力された患者情報と対応付けて前記保存手段に保存する第１の制御モードと、前記患者情報入力手段により患者情報が入力された後に前記画像生成装置から受信された画像データの付帯情報に基づいて当該受信された画像データと前記入力された患者情報との対応付けの可否を判断し、対応付けが可であると判断した場合にのみ、当該受信された画像データを前記入力された患者情報と対応付けて前記保存手段に保存する第２の制御モードと、を有し、前記モード設定手段により入力された設定に基づいて、前記第１又は第２の制御モードで前記受信された画像データの保存制御を行う制御手段と、
を備えたことを特徴としている。
【００１５】
請求項２に記載の発明は、請求項１に記載の発明において、
前記画像生成装置から受信された画像データを一時的に保存する一時保存手段を備え、
前記制御手段は、前記第２の制御モードにおいて前記入力された患者情報との対応付けが不可であると判断された画像データを前記一時保存手段に保存することを特徴としている。
【００１６】
請求項３に記載の発明は、請求項１又は２に記載の発明において、
前記画像生成装置は、ＤＩＣＯＭ形式で画像データを送信することを特徴としている。
【００１７】
請求項４に記載の発明は、請求項１〜３の何れか一項に記載の発明において、
前記医用画像管理装置は、患者の検査データを取得し当該検査データに関する付帯情報を付加して送信する検査装置とデータ送受信可能に接続され、
前記検査装置から受信された検査データを保存する検査情報保存手段を備え、
前記制御手段は、前記第１の制御モードが設定されている場合には、前記患者情報入力手段により患者情報が入力された後に前記検査装置から受信された検査データを全て前記入力された患者情報と対応付けて前記検査情報保存手段に保存し、前記第２の制御モードが設定されている場合には、前記患者情報入力手段により患者情報が入力された後に前記検査装置から受信された検査データの付帯情報に基づいて当該受信された検査データと前記入力された患者情報との対応付けの可否を判断し、対応付けが可であると判断した場合にのみ、当該受信された検査データを前記入力された患者情報と対応付けて前記検査情報保存手段に保存することを特徴としている。
【００１８】
請求項５に記載の発明は、請求項４に記載の発明において、
前記検査装置は、ＤＩＣＯＭ形式で検査データを送信することを特徴としている。
【発明の効果】
【００１９】
請求項１、３に記載の発明によれば、小規模施設において、医師が診察対象の患者の患者情報を入力してその患者の画像を表示手段に表示して診察、診断等を行っているときに画像生成装置から受信された画像データを入力された患者情報に自動的に対応付けて保存するので、画像データと患者情報との対応付けを効率的に行うことが可能となる。また、第２の制御モードに設定しておくことにより、受信された画像データに付帯された付帯情報に基づいて、受信された画像データと入力された患者情報との対応付けが可であるか否かを判断し、可であると判断した場合にのみ画像データと患者情報とを対応付けるので、対応付けミスを抑制することが可能となる。
【００２０】
請求項２に記載の発明によれば、入力された患者情報との対応付けが不可と判断された画像データは一時保存手段にまとめて保存されるので、後に患者情報と画像データとを対応付ける作業が容易となる。
【００２１】
請求項４、５に記載の発明によれば、小規模施設において、医師が診察対象の患者の患者情報を入力してその患者の画像を表示手段に表示して診察、診断等を行っているときに検査装置から受信された検査データを入力された患者情報に自動的に対応付けて保存するので、検査データと患者情報との対応付けを効率的に行うことが可能となる。また、第２の制御モードに設定しておくことにより、受信された検査データに付帯された付帯情報に基づいて、受信された検査データと入力された患者情報との対応付けが可であるか否かを判断し、可であると判断した場合にのみ検査データと患者情報とを対応付けるので、対応付けミスを抑制することが可能となる。
【発明を実施するための最良の形態】
【００２２】
以下、図１から図９を参照しながら本発明に係る小規模診断システムの一実施形態について説明する。ただし、本発明は図示例のものに限定されるものではない。
【００２３】
まず、構成を説明する。
図１は、本発明に係る小規模診断システム１のシステム構成を示すものであり、図２は、小規模診断システム１を適用した場合の各装置の医療施設における配置例を示すものである。
【００２４】
小規模診断システム１は、開業医やクリニック等の比較的小規模の医療施設に適用されるシステムであり、図１に示すように、画像生成装置２である超音波診断装置２ａ、内視鏡装置２ｂ、ＣＲ装置２ｃと、制御装置３と、検査装置４と、受付装置５とから構成されており、画像生成装置２、制御装置３及び受付装置５は、例えば図示しないスイッチングハブ等を介してＬＡＮ（Local Area Network）等の通信ネットワーク（以下単に「ネットワーク」という）６に接続されている。制御装置３は、医師の常駐場所である診察室に設けられたＷＳ（ワークステーション）であることが好ましい。なお、この制御装置３として作動するＷＳが各画像生成装置２の起動や処理条件等を制御する構成としてもよい。
【００２５】
医用関連の通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）が用いられる。
【００２６】
例えば、開業医やクリニック等のような小規模の医療施設においては、各装置は図２に示すように配置される。
すなわち、入口１０を入ると患者の受付けを行う受付１１と待合室１２がある。受付１１には窓口担当が配置され、当該担当は、来院した患者に対して、例えば、受付順に個々の患者を区別するための受付番号が印刷された受付番号札を付与する。また、受付１１には、受付装置５が設けられており、窓口担当は、患者の氏名等を聞き取り、受付装置５に受付番号と患者氏名等の患者情報との対応付けを入力する。
【００２７】
待合室１２の隣には、ドア等を隔てて医師が患者の診察、診断等を行う診察室１３が設けられている。例えば診察室１３内の診察用のデスク（図示せず）の上には、医師による診断のために、患者の診断対象部位を撮影した撮影画像、患者に対して行った検査に関する検査結果等を表示させる制御装置３が配置されている。診察室１３内にはまた、プライバシー等の観点から隔離された空間で行う必要性の低い超音波診断装置２ａが設置されている。
【００２８】
また、廊下１４を隔てて診察室１３の向かい側にはＸ線撮影を行うＸ線撮影室１５が設けられている。Ｘ線撮影室１５内には、撮影装置２２と読取装置２３とから構成されるＣＲ装置２ｃが配設されている。さらに、Ｘ線撮影室１５の隣には検査室１６が設けられており、検査室１６内には内視鏡装置２ｂ及び検査装置４が配設されている。
【００２９】
以下、小規模診断システム１の各装置の構成について説明する。
画像生成装置２は、例えば、超音波診断装置２ａ、内視鏡装置２ｂ、ＣＲ装置２ｃ等の、患者の診断対象部位を被写体として撮影を行い、撮影した画像をデジタル変換して撮影画像の画像データを生成する装置である。
【００３０】
超音波診断装置２ａは、超音波を出力する超音波プローブと、超音波プローブに接続され、超音波プローブで受信された音波（エコー信号）を内部組織の撮影画像の画像データに変換する電子装置とから構成されている（いずれも図示せず）。超音波診断装置２ａは、超音波プローブから体内に超音波を送り、体内組織に反射した音波（エコー信号）を再び超音波プローブで受信して、このエコー信号に応じた撮影画像を電子装置によって生成するようになっている。
【００３１】
超音波診断装置２ａには、アナログ信号からデジタル信号への変換等を行う変換手段（コンバータ）である変換装置２１が接続されており、超音波診断装置２ａは、変換装置２１を介してネットワーク６に接続されている。変換装置２１は、超音波診断装置２ａで生成されるＤＩＣＯＭ規格に合わない形式の画像信号をＤＩＣＯＭ規格に準じた形式の画像データに変換する機能を備えている。例えば、超音波診断装置２ａにより生成された画像をアナログ信号からデジタル信号へ変換し、小規模診断システム１内において画像データを特定するためのＵＩＤ（ユニークＩＤ）を画像データに付帯させる。ＵＩＤは、小規模診断システム１を構成する各装置の識別情報（以下、装置ＩＤという。）、撮影（検査）日付及び時刻を示す数字等から構成される。なお、本実施の形態において、装置ＩＤは画像生成装置２の種類を示す情報を含んで構成されているものとする。
【００３２】
また、変換装置２１には、例えば、テンキー、キーボード、タッチパネル等で構成される入力操作部２１ａが設けられている。入力操作部２１ａは、撮影対象の患者の患者情報を入力するための装置である。変換装置２１は、入力操作部２１ａから患者情報が入力されると、入力された患者情報を撮影される画像データに上述のＵＩＤとともに付帯させる。画像データに付帯される画像データに関する情報（ヘッダ情報）を付帯情報と呼ぶ。なお、入力操作部２１ａの構成はここに示したものに限定されず、例えば、カードを差し込むことでカードに書き込まれた情報を読み取るカードリーダや、バーコードを読み取るバーコードリーダのようなものでもよい。
【００３３】
内視鏡装置２ｂは、可撓性を有する管の先端部に小型の撮影装置が設けられたものであり（いずれも図示せず）、撮影装置は例えば光学レンズ等で構成される対物光学系と、対物光学系の結像位置に配置された撮像部と、ＬＥＤ（Light Emitting Diode）等で構成され撮像を行うために必要な照明を行う照明部とを備えている（いずれも図示せず）。撮像部は、例えばＣＣＤ（Charge Coupled Device）、ＣＭＯＳ（Complementary Metal-OxideSemiconductor）等の固体撮像素子を備え、光が入射すると光の入射光量に応じた量の電気的な信号へと光電変換する。対物光学系は、照明部により照明された領域を光学レンズで集光し、撮像部が有する固体撮像素子に結像するように構成されており、固体撮像素子に入射した光が光電変換されることにより、電気信号として撮影画像の画像データが出力されるようになっている。
【００３４】
ＣＲ装置２ｃを構成する撮影装置２２は、図示しない放射線源を有し、患者の診断対象部位に放射線を照射して静止画像を撮影する。撮影時には前記放射線源から照射される放射線の照射領域内に、例えば放射線エネルギーを蓄積する輝尽性蛍光体シートを備える放射線画像変換プレートが内蔵されたカセッテが配置されるようになっており、放射線源からの照射放射線量に対する診断対象部位の放射線透過率分布に従った放射線量がカセッテに内設された輝尽性蛍光体シートの輝尽性蛍光体層に蓄積し、この輝尽性蛍光体層に診断対象部位の放射線画像情報を記録する。
【００３５】
読取装置２３は、診断対象部位の放射線画像情報が記録されたカセッテが装填されると、装置内に装填されたカセッテの輝尽性蛍光体シートに励起光を照射し、これによりシートから発光される輝尽光を光電変換し、得られた画像信号をＡ／Ｄ変換して、撮影画像の画像データを生成するようになっている。
ＣＲ装置２ｃは撮影装置２２と読取装置２３とが一体化した一体型の装置であってもよい。
【００３６】
なお、本実施の形態において、内視鏡装置２ｂ及びＣＲ装置２ｃの読取装置２３は、ＤＩＣＯＭ規格に対応した装置であり、ＤＩＣＯＭ形式で画像データを制御装置３に送信する。
例えば、内視鏡装置２ｂ及びＣＲ装置２ｃの読取装置２３は、生成された画像データに上述のＵＩＤを付帯させる。
また、図示はしないが、内視鏡装置２ｂ及びＣＲ装置２ｃの読取装置２３においても、それぞれキーボード、タッチパネル等で構成される入力操作部が設けられている。入力操作部は、撮影対象の患者の患者情報を入力するための装置である。内視鏡装置２ｂ及びＣＲ装置２ｃの読取装置２３は、入力操作部から患者情報が入力されると、入力された患者情報を撮影される画像データに上述のＵＩＤとともに付帯させて制御装置３へ送信する。なお、入力操作部の構成はここに示したものに限定されず、例えば、カードを差し込むことでカードに書き込まれた情報を読み取るカードリーダや、バーコードを読み取るバーコードリーダのようなものでもよい。
【００３７】
制御装置３は、例えば診察室１３に設置され、画像生成装置２で生成された画像データを患者情報と対応付けて画像ＤＢ（Data Base）３８に保存したり、医師が画像等を表示させて読影診断等を行ったりするための医用画像管理装置であり、一般的なＰＣ（Personal Computer）に用いられるモニタ（表示部）よりも高精細のモニタを備えるものであってもよい。制御装置３は、図３に示すように、ＣＰＵ３１、ＲＡＭ３２、記憶部３３、入力部３４、表示部３５、通信部３６、Ｉ／Ｆ３７、画像ＤＢ３８、検査情報ＤＢ３９等を備えて構成されており、各部はバス４０により接続されている。
【００３８】
ＣＰＵ３１は、記憶部３３に記憶されているシステムプログラムや処理プログラム等の各種プログラムを読み出してＲＡＭ３２に展開し、展開されたプログラムに従って後述する患者情報対応付け処理をはじめとする各種処理を実行する。
【００３９】
ＲＡＭ３２は、ＣＰＵ３１により実行制御される各種処理において、記憶部３３から読み出されたＣＰＵ３１で実行可能な各種プログラム、入力若しくは出力データ、及びパラメータ等の一時的に記憶するワークエリアを形成する。本実施の形態において、ＲＡＭ３２は、画像生成装置２から受信した画像データや検査装置４から受信した検査データを一時的に格納する受信データ格納部３２１を有している。
【００４０】
記憶部３３は、ＨＤＤ（Hard Disk Drive）や半導体の不揮発性メモリ等により構成さ
れる。記憶部３３には、前述のように各種プログラムが記憶されているほか、撮影画像の画像データを診断に適した画質に調整するための画像処理パラメータ（階調処理に用いる階調曲線を定義したルックアップテーブル、周波数処理の強調度等）等が記憶されている。
【００４１】
また、記憶部３３は、患者情報と対応付けられていない画像データや検査データを一時的に保存する一時保存手段としての一時記憶部３３１を有している。更に、記憶部３３は、後述する制御モードの設定情報を記憶する。
【００４２】
入力部３４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ３１に出力する。
【００４３】
表示部３５は、例えば、ＣＲＴ（Cathode Ray Tube）やＬＣＤ（Liquid Crystal Display）等のモニタを備えて構成されており、ＣＰＵ３１から入力される表示信号の指示に従って、各種画面を表示する。
【００４４】
通信部３６は、ネットワークインターフェース等により構成され、スイッチングハブを介してネットワーク６に接続された外部機器との間でデータの送受信を行う。
【００４５】
Ｉ／Ｆ３７は、検査装置４を制御装置３に接続し、検査装置４とのデータ送受信を制御するインターフェースである。
【００４６】
画像ＤＢ３８は、ＨＤＤ等により構成され、撮影画像の画像データを患者情報と対応付けて保存する保存手段である。
検査情報ＤＢ３９は、ＨＤＤ等により構成され、各種検査データを患者情報と対応付けて保存する検査情報保存手段である。
【００４７】
検査装置４は、心電波形を検出して波形データを取得する心電波検出装置、体温、血圧、身長、体重等のバイタルデータを取得するバイタルセンサ、肺音、心音、声等の生体音データを取得する集音器等により構成され、取得した検査データ（上述の波形データ、バイタルデータ、生体音データ等）を制御装置３に送信する。
【００４８】
なお、本実施の形態において、検査装置４は、ＤＩＣＯＭ規格に対応した装置であり、ＤＩＣＯＭ形式で検査データを制御装置３に送信する。
例えば、検査装置４は、取得した検査データに上述のＵＩＤを付帯させる。
また、図示はしないが、検査装置４においても、それぞれキーボード、タッチパネル等で構成される入力操作部が設けられている。入力操作部は、検査対象の患者の患者情報を入力するための装置である。検査装置４は、入力操作部から患者情報が入力されると、入力された患者情報を取得した検査データに上述のＵＩＤとともに付帯させて制御装置３へ送信する。なお、入力操作部の構成はここに示したものに限定されず、例えば、カードを差し込むことでカードに書き込まれた情報を読み取るカードリーダや、バーコードを読み取るバーコードリーダのようなものでもよい。
【００４９】
受付装置５は、来院した患者の受付登録、会計計算、保険点数計算等を行うためのコンピュータ装置であり、ＣＰＵ、ＲＡＭ、ＨＤＤ等により構成される記憶部、キーボードやマウス等により構成される入力部、ＣＲＴやＬＣＤ等により構成される表示部、ネットワーク６に接続された各装置との通信を制御する通信部（いずれも図示せず）等を備えて構成されている。受付装置５は、入力部より受付入力画面の表示が指示されると、ＣＰＵと記憶部に記憶されたプログラムとの協働によるソフトウエア処理により、表示部に図示しない受付入力画面を表示し、受付入力画面を介して入力部により受付情報（受付番号＋患者氏名）が入力されると、受付された患者の患者情報リストを作成（更新）して記憶部に記憶し、制御装置３からの患者リスト送信要求に応じて通信部により制御装置３へ送信する。
制御装置３では、受付装置５から送信された患者情報リストを表示させ、当該患者情報リストのなかから医師が対象とする患者を入力部３４のマウス等によりクリック選択することで患者情報を入力することが可能となっている。これにより、医師による入力操作が簡素化され、医師による不慣れなキーボード入力操作に比べ入力ミス防止や時間短縮を図ることができ、また、小規模施設全体のデータ一貫性と診断効率を高めることが可能となる。
【００５０】
患者来院の時点では、受付装置５で入力されるのは受付番号と患者氏名であるが、診療終了（レセプト処理終了）の時点では受付装置５によって、性別、生年月日、年齢等の情報も結果的に入力されることとなり、これらの情報は小規模施設で診察を受ける患者の管理に用いられる。
例えば、上述する患者リスト表示による医師の患者情報入力に利用し、キーボード操作に不慣れな医師の負荷低減を図ることができる。画像生成装置２で生成された画像データや検査装置４で取得された検査データも、受付装置５において入力される患者情報が最終的に対応付けられ、管理されることとなる。
なお、画像生成装置２や検査装置４においても患者情報を入力可能であるが、入力される患者情報としては受付番号等の簡易的な情報であり、上述する管理には用いない。
【００５１】
次に、小規模診断システム１が適用された小規模施設における、一の患者についての診察の流れについて説明する。
【００５２】
患者が来院すると、受付１１において、患者に対し受付番号札が付与され、受付装置５において、入力部の操作により受付された患者の受付番号及び患者氏名等の患者情報の入力（受付入力）が行われる。受付装置５においては、患者の受付番号及び患者情報が入力されると、患者情報のリスト（患者情報リスト）が生成（更新）され、ＲＡＭの所定領域に格納される。患者情報リストは、例えば、本日の最初の患者が受付入力されると生成され、ＲＡＭの所定領域に記憶され、次の患者が受付入力される毎に新しい患者情報リストに更新される。
【００５３】
受付番号が付与された患者が診察室１３に移動すると、医師により問診が行われ、行うべき撮影、検査が決定される。
【００５４】
問診により患部の撮影が必要であると決定された場合には、撮影技師又は看護士等の撮影を行う撮影実施者は、患者を撮影を行う画像生成装置２（超音波診断装置２ａ、内視鏡装置２ｂ、又はＣＲ装置２ｃ）の前に連れて行き、その患者の診断対象部位を被写体として撮影を行い、撮影画像の画像データの生成を行う。例えば、画像生成装置２がＣＲ装置２ｃの場合、撮影装置２２において撮影を行い、撮影装置２２において撮影済みのカセッテを読取装置２３にセットし、カセッテに記録された放射線画像の読み取りを行う。画像生成装置２においては、撮影実施者の操作に応じて患者情報の入力、撮影及び画像データの生成が行われ、生成された画像データに入力された患者情報及び上述のＵＩＤを含む付帯情報が付帯されて制御装置３へ送信される。なお、画像生成装置２から撮影実施者が入力する患者情報は、氏名ではなく各患者に個別に割り振られる受付番号にすると、撮影実施者の入力操作が簡素化され好ましい。
【００５５】
問診により、例えば、血圧、体温、心電図等の検査が必要であると決定された場合には、医師又は看護士は、患者に対し、検査装置４で検査を行う。検査装置４においては、医師又は看護士の操作に応じて患者情報の入力、検査が行われ、得られた検査データに入力された患者情報及び上述のＵＩＤを含む付帯情報が付帯されて制御装置３へ送信される。なお、検査装置４から医師又は看護士が入力する患者情報は、氏名ではなく各患者に個別に割り振られる受付番号にすると、入力操作が簡素化され好ましい。
【００５６】
撮影や検査が終了すると、医師は、制御装置３において、画像生成装置２から受信された撮影画像や検査装置４から受信された検査結果を表示して参照し、患者の診断を行う。
【００５７】
以上が、一の患者を診察する際の大まかな流れとなる。画像生成装置２により生成された画像データ、検査装置４により取得された検査データは、制御装置３において患者情報と対応付けられる。ここで、制御装置３は、医師が患者の撮影画像や検査結果を表示して診断を行うためのものであるから、患者の診察中は、診察対象の患者に関する過去、又は本日取得した撮影画像や検査結果が表示されている。
【００５８】
診察対象の患者に関する過去、又は本日取得した撮影画像や検査結果は、例えば、診療サマリ画面３５１、撮影画像表示画面３５２等に表示される。
【００５９】
図４に、診療サマリ画面３５１の一例を示す。診療サマリ画面３５１は、入力部３４により診察対象の患者の患者情報が入力されると、その患者に対して行った撮影や検査を時系列的に一覧表示する画面である。診療サマリ画面３５１は、患者情報３５１ａ、時間軸３５１ｂ、診療サマリ表示エリア３５１ｃ、上スクロールボタン３５１ｄ、下スクロールボタン３５１ｅ等を有している。診療サマリ表示エリア３５１ｃには、時間軸３５１ｂに対応させて、診察対象の患者について撮影された画像のサムネイル画像Ａ１が画像生成装置２毎に分類されて表示される。また、診療サマリ表示エリア３５１ｃの、時間軸３５１ｂにおける検査データが取得された日付に対応する位置には、検査結果が取得されたことを示すアイコン（以下、検査アイコンと称する）Ａ２が検査装置４毎に分類されて表示される。図４（ｂ）に示す画面上の情報は、図４（ａ）の画面上の情報の続きの情報であり、図４（ａ）から下スクロールボタン３５１ｅが所定回数（所定時間）押下されると表示される。サムネイル画像Ａ１が入力部３４により押下されると、押下されたサムネイル画像に対応する撮影画像を表示するための撮影画像表示画面３５２が表示される。検査アイコンＡ２が入力部３４により押下されると、押下された検査アイコンに対応する検査データを再生することができる。
【００６０】
図５（ａ）に、撮影画像表示画面３５２の一例を示す。撮影画像表示画面３５２は、医師が画像診断を行うための画面であり、本実施の形態においては、診療サマリ画面３５１に表示されている撮影画像のサムネイル画像Ａ１のうち一のサムネイル画像が入力部３４により選択（押下）された際に表示される画面である。
【００６１】
ここで、医師は問診時に、制御装置３において診察対象患者の患者情報を入力してその患者の診療サマリ画面３５１や撮影画像表示画面３５２を表示させ、過去の撮影画像や検査結果、現在の患者の状態に基づき、撮影枚数や撮影方向等を決めて撮影実施者に撮影を依頼したり検査を行ったりするので、制御装置３において診療サマリ画面３５１や撮影画像表示画面３５２の表示対象となっている患者（即ち、患者情報が入力された患者）と受信された画像データや検査データの患者とは一致させねばならない。
【００６２】
そこで、制御装置３においては、図６に示す患者情報対応付け処理を実行し、画像生成装置２や検査装置４から受信された画像データや検査データを入力された患者情報（診療サマリ画面３５１や撮影画像表示画面３５２を表示させるために入力した患者情報）と自動的に対応付けて保存する制御を行う。このときの制御モードとして、制御装置３は、第１の制御モードと第２の制御モードを有している。第１の制御モードは、患者情報が入力された後に画像生成装置２から受信された画像データを全て入力された患者情報と対応付けて画像ＤＢ３８に保存するモードである。第２の制御モードは、患者情報が入力された後に画像生成装置２から受信された画像データの付帯情報に基づいて受信された画像データと入力された患者情報との対応付けの可否を判断し、対応付けが可であると判断した場合にのみ、受信された画像データを入力された患者情報と対応付けて画像ＤＢ３８に保存するモードである。
【００６３】
制御モードは、入力部３４の所定の操作により表示されるモード設定画面３５３を介してユーザが設定することができる。モード設定画面３５３には、図７に示すように、第１の制御モードの設定を指示するためのボタン３５３ａと、第２の制御モードを設定を指示するためのボタン３５３ｂと、が表示されている。入力部３４のマウス等によりボタン３５３ａが押下されると、ＣＰＵ３１により制御モードとして第１の制御モードが設定される。入力部３４のマウス等によりボタン３５３ｂが押下されると、ＣＰＵ３１により制御モードとして第２の制御モードが設定される。制御モードの設定情報は、記憶部３３に記憶される。即ち、入力部３４とモード設定画面３５３によりモード設定手段が実現される。
【００６４】
なお、制御装置３においては、診察終了後に、手動で受信したデータと患者情報との対応付けを行う、オフラインでの対応付けも可能である。例えば、モード設定画面３５３の「オフラインにする」のチェックボックス３５３ｃを入力部３４のマウス等によりクリックしチェックすることで、オフラインでの対応付けを設定することができる。オフラインでの対応付けを設定しておくと、図６に示す患者情報対応付け処理は実行されず、画像生成装置２や検査装置４から受信した画像データや検査データは一時記憶部３３１に保存される。
【００６５】
以下、図６を参照して患者情報対応付け処理について説明する。当該処理は、診察対象となる患者の患者情報を入力するための患者情報入力画面（図示せず）の表示を指示する所定の操作が入力された際に、ＣＰＵ３１と記憶部３３に記憶されている患者情報対応付け処理プログラムとの協働によるソフトウエア処理により実現される処理である。当該処理の実行により制御手段が実現される。
【００６６】
まず、通信部３６を介して、受付装置５に患者情報リスト送信要求が送信されて受付装置５から患者情報リストのデータが取得され、取得されたデータに基づいて、表示部３５に患者情報入力画面が表示される（ステップＳ１）。ここで、患者情報入力画面には、図示しないが、本日受け付けされた患者情報のリストが表示されており、医師が診察対象とする患者の患者情報を入力部３４のマウス等によりクリック選択することで、診察対象とする患者の患者情報を入力することができる。即ち、入力部３４と患者情報入力画面により患者情報入力手段が実現される。なお、患者情報入力画面においては、患者情報をキーボードから直接入力する構成としてもよいが、上述したように、患者情報リストから選択する構成により、入力ミス防止や時間短縮を図ることができるので好ましい。
【００６７】
患者情報入力画面から入力部３４により診察対象となる患者の患者情報が入力されると（ステップＳ２）、本処理におけるデータ受信回数を示すカウント値ｎに０が設定され（ステップＳ３）、画像ＤＢ３８において入力された患者情報に対応付けて記憶されている画像データが抽出されるとともに、検査情報ＤＢ３９において入力された患者情報に対応付けて記憶されている検査データが抽出され、表示部３５に抽出された画像データのサムネイル画像Ａ１及び抽出された検査データの検査アイコンＡ２等が表示された診療サマリ画面３５１が表示される。診療サマリ画面３５１から更に、入力部３４により撮影画像表示画面３５２の表示指示が入力された場合は、表示部３５に撮影画像表示画面３５２が表示される（ステップＳ４）。
【００６８】
診療サマリ画面３５１又は撮影画像表示画面３５２の表示後、通信部３６により画像生成装置２からの画像データが受信されるか、又は、Ｉ／Ｆ３７により検査装置４からの検査データが受信され、受信されたデータ（受信された画像データ又は検査データ）が受信データ格納部３２１に格納されると（ステップＳ５；ＹＥＳ）、カウント値ｎが１インクリメントされる（ステップＳ６）。ステップＳ５において、データが受信されていない場合（ステップＳ５；ＮＯ）、処理はステップＳ１４に移行する。
【００６９】
次いで、記憶部３３の設定情報が参照され、制御モードが第１の制御モードに設定されているか又は第２の制御モードに設定されているかが判断される。制御モードが第１の制御モードに設定されていると判断されると（ステップＳ７；第１の制御モード）、受信されたデータが画像データの場合には、当該画像データがステップＳ２において入力された患者情報と対応付けて画像ＤＢ３８に保存され、受信されたデータが検査データの場合には、当該検査データがステップＳ２において入力された患者情報と対応付けて検査情報ＤＢ３９に保存され（ステップＳ１２）、処理はステップＳ１４に移行する。ステップＳ１２においては、例えば、受信されたデータの付帯情報の患者情報（ａａａ）が入力された患者情報（ＡＡＡ）により上書きされることにより、受信されたデータが入力された患者情報に対応付けられる。なお、表示部３５に診療サマリ画面３５１が表示されている場合、受信された画像データのサムネイル画像Ａ１又は受信された検査データの検査アイコンＡ２が生成されて診療サマリ画面の時間軸に対応する位置に表示される。
【００７０】
一方、制御モードが第２の制御モードに設定されていると判断されると（ステップＳ７；第２の制御モード）、カウント値ｎが参照され、受信したデータがステップＳ２で患者情報が入力された後初めて受信したデータであるか（カウントｎ値が１であるか）否かが判断される。受信したデータがステップＳ２で患者情報が入力された後初めて受信したデータであると判断されると（ステップＳ８；ＹＥＳ）、受信されたデータの付帯情報が先行付帯情報としてＲＡＭ３２に格納され（ステップＳ９）、受信されたデータが画像データの場合には、当該画像データがステップＳ２において入力された患者情報と対応付けて画像ＤＢ３８に保存され、受信されたデータが検査データの場合には、当該検査データがステップＳ２において入力された患者情報と対応付けて検査情報ＤＢ３９に保存され（ステップＳ１２）、処理はステップＳ１４に移行する。
【００７１】
受信したデータがステップＳ２で患者情報が入力された後初めて受信したデータではないと判断されると（ステップＳ８；ＮＯ）、受信されたデータの付帯情報に基づいて、当該データとステップＳ２で入力された患者情報との対応付けが可能であるか否かが判断される（ステップＳ１０）。例えば、先行して前記入力された患者情報と対応付けられた受信データの付帯情報（ＲＡＭ３２に格納されている先行付帯情報）と今回受信されたデータの付帯情報とが比較され、両者が一致するか否かが判断され、一致すると判断された場合に、受信されたデータとステップＳ２で入力された患者情報との対応付けが可能であると判断される。受信されたデータの付帯情報が先行付帯情報と一致しないと判断された場合は、対応付けが不可能であると判断される。
【００７２】
受信されたデータとステップＳ２で入力された患者情報との対応付けが可能であると判断されると（ステップＳ１１；ＹＥＳ）、受信されたデータが画像データの場合には、当該画像データがステップＳ２において入力された患者情報と対応付けて画像ＤＢ３８に保存され、受信されたデータが検査データの場合には、当該検査データがステップＳ２において入力された患者情報と対応付けて検査情報ＤＢ３９に保存され（ステップＳ１２）、処理はステップＳ１４に移行する。
【００７３】
受信されたデータとステップＳ２で入力された患者情報との対応付けが不可能であると判断されると（ステップＳ１１；ＮＯ）、受信されたデータが受信順序を示す番号と対応付けて一時記憶部３３１に一時保存され（ステップＳ１３）、処理はステップＳ１４に移行する。
【００７４】
ステップＳ１４において、ステップＳ２において入力部３４から入力された患者情報の患者の診察を終了する指示が入力されなければ（ステップＳ１４；ＮＯ）、処理はステップＳ４に戻る。入力部３４から当該入力された患者の診察を終了する指示が入力されると（ステップＳ１４；ＹＥＳ）、本処理は終了する。
【００７５】
例えば、制御モードが第１の制御モードに設定されている場合、図８（ａ）に示すように、受信されたデータＤ１〜Ｄ４は全てステップＳ２で入力された患者情報ＡＡＡに対応付けられ、画像ＤＢ３８に保存される。
一方、制御モードが第２の制御モードに設定されている場合、図８（ｂ）に示すように、最初に受信されたデータＤ１及びデータＤ１と同一の患者情報ａａａが付帯されたデータＤ２、Ｄ４はステップＳ２で入力された患者情報ＡＡＡに対応付けられ、画像ＤＢ３８に保存される。撮影実施者が患者情報を入力をし忘れて患者情報が付帯されてない（ｎｕｌｌ）データＤ３は、入力された患者情報ＡＡＡとは対応付けずに一時記憶部３３１に一時保存される。また、受信されたデータに急患割込みで撮影された他の患者の患者情報（例えば、ｂｂｂ）が付帯されてきた場合においても、入力された患者情報ＡＡＡとは対応付けずに一時記憶部３３１に一時保存される。
【００７６】
このように、第１の制御モードに設定しておけば、患者情報の入力後に受信される画像データや検査データの全てが入力された患者情報と自動的に対応付けて保存されるので、例えば、画像生成装置２が１台しかない場合や複数の患者に対し並列的に撮影を行うことがない運用である場合に、効率的に受信されたデータと患者情報を対応付けることが可能となる。一方、第２の制御モードに設定しておけば、受信されたデータのうち、その付帯情報に基づいて入力された患者情報との対応付けが可能であると判断されたデータのみを入力された患者情報と対応付けるので、例えば、撮影実施者が患者情報の入力もれをした場合や急患割込みで他の患者が撮影された場合等、先行して受信されたデータの患者情報と異なる患者情報が付帯されたデータを同一の患者情報に対応付けてしまうといったことがなくなり、対応付けミスを抑制することが可能となる。
【００７７】
一時記憶部３３１に格納された画像データや検査データは、診療サマリ画面３５１や撮影画像表示画面３５２に表示されている「名称未設定」ボタンＢ７が押下されることにより表示される患者情報対応付け画面３５４において、患者情報と対応付けることができる。図９に、患者情報対応付け画面３５４の一例を示す。図９に示すように、患者情報対応付け画面３５４には、一時記憶部３３１に記憶されている画像データや検査データに基づいて生成されたサムネイル画像や検査データの検査アイコンが、その付帯情報と対応付けて、取得（撮影）時刻（ＵＩＤの時刻部分）の順番に並べて表示されるとともに、患者情報リストが表示される。なお、これらのデータが取得（撮影）された時刻ではなく、制御装置３側で受信された順番で並べて表示してもよい。当該画面から、サムネイル画像や検査アイコンを選択して、選択したサムネイル画像やアイコンに対応する患者情報を患者情報リストから選択し、「登録」ボタンが押下されると、選択されたサムネイル画像に対応する画像データが選択された患者情報に対応付けて画像ＤＢ３８に記憶され、選択されたアイコンに対応する検査データが選択された患者情報に対応付けて検査情報ＤＢ３９に記憶される。なお、これは、オフラインでの対応付けであっても同様である。
【００７８】
以上説明したように、小規模診断システム１の制御装置３によれば、入力部３４により診察対象の患者情報が入力されると、入力された患者情報に対応付けて保存されている画像データや検査データを表示した診療サマリ画面３５１又は撮影画像表示画面３５２が表示部３５に表示される。また、患者情報の入力後、通信部３６により画像データ又は検査データが受信されると、制御モードが第１の制御モードに設定されているか又は第２の制御モードに設定されているかが判断され、第１の制御モードに設定されている場合には、受信されたデータを全て入力された患者情報と対応付けて保存し、第２の制御モードが設定されていると判断されると、受信されたデータの付帯情報に基づいて当該受信されたデータと入力された患者情報との対応付けの可否を判断し、対応付けが可能であると判断した場合にのみ、当該受信されたデータを入力された患者情報と対応付けて保存する。
【００７９】
従って、医師が患者情報を入力して診察対象の患者の過去の画像や検査結果を見ているときに受信される画像データや検査データをその患者の患者情報に自動的に対応付けることができるので、画像生成装置２において生成された画像データや検査装置４において取得された検査データと患者情報との対応付けを効率的に行えるようになる。また、第２の制御モードに設定しておくことにより、受信された画像データや検査データに付帯された付帯情報に基づいて、受信された画像データや検査データと入力された患者情報との対応付けが可能であるか否かを判断し、対応付けが可能であると判断した場合にのみ対応付けを行うので、対応付けミスを抑制することが可能となる。
【００８０】
また、第２の制御モードにおいて、入力された患者情報と対応付けられなかった画像データや検査データは一時記憶部３３１にまとめて保存されるので、後に患者情報と画像データとを対応付ける作業が容易となる。
【００８１】
なお、上記実施の形態における記述内容は、本発明に係る小規模診断システム１の好適な一例であり、これに限定されるものではない。
【００８２】
例えば、受信されたデータの付帯情報に基づいて当該受信されたデータと入力された患者情報との対応付けの可否を判断する場合、受信されたデータの付帯情報に含まれる患者情報と先行付帯情報に含まれる患者情報が一致するか否かを判断し、一致する場合に受信されたデータと入力された患者情報との対応付けが可能であると判断するようにしてもよい。
【００８３】
また、上記実施の形態においては、画像生成装置２を、超音波診断装置、内視鏡装置、ＣＲ装置として説明したが、これに限定されず、例えば、ＣＴ装置や、皮膚等の身体の外観を撮影するデジタルカメラ等としてもよい。
【００８４】
その他、本発明が本実施の形態に限定されず、適宜変更可能であることはいうまでもない。
【図面の簡単な説明】
【００８５】
【図１】本発明に係る小規模診断システム１の全体構成例を示す図である。
【図２】図１に示す小規模診断システム１を適用した場合の各装置の医療施設における配置例を示す図である。
【図３】図１に示す小規模診断システム１に適用される制御装置３の機能的構成を示す要部ブロック図である。
【図４】図３の表示部３５に表示される診療サマリ画面３５１の一例を示す図である。
【図５】図３の表示部３５に表示される撮影画像表示画面３５２の一例を示す図である。
【図６】図３のＣＰＵ３１により実行される患者情報対応付け処理を示すフローチャートである。
【図７】図３の表示部３５に表示されるモード設定画面３５３の一例を示す図である。
【図８】（ａ）は、制御モードが第１の制御モードに設定されている場合の患者情報の対応付けの一例を示す図、（ｂ）は、制御モードが第２の制御モードに設定されている場合の患者情報の対応付けの一例を示す図である。
【図９】図３の表示部３５に表示される患者情報対応付け画面３５４の一例を示す図である。
【図１０】（ａ）は、従来の診断システムにおいて受付窓口で登録されるリストの一例を示す図、（ｂ）は、従来の診断システムにおいて（ａ）に示すリストに放射線科の微視がカセッテ登録した一例を示す図である。
【符号の説明】
【００８６】
１  小規模診断システム
２  画像生成装置
２ａ  超音波診断装置
２ｂ  内視鏡装置
２ｃ  ＣＲ装置
３  制御装置
４  検査装置
５  受付装置
６  ネットワーク
２１  変換装置
２１ａ  入力操作部
３１  ＣＰＵ
３２  ＲＡＭ
３２１  受信データ格納部
３３  記憶部
３３１  一時記憶部
３４  入力部
３５  表示部
３５１  診療サマリ画面
３５２  撮影画像表示画面
３５３  モード設定画面
３５４  患者情報対応付け画面
３６  通信部
３７  Ｉ／Ｆ
３８  画像ＤＢ
３９  検査情報ＤＢ
４０  バス
【図１】
2008183336.tif 000003
【図２】
2008183336.tif 000004
【図３】
2008183336.tif 000005
【図４】
2008183336.tif 000006
【図５】
2008183336.tif 000007
【図６】
2008183336.tif 000008
【図７】
2008183336.tif 000009
【図８】
2008183336.tif 000010
【図９】
2008183336.tif 000011
【図１０】
2008183336.tif 000012